(57)【要約】      （修正有）【課題】外壁のサイディング材裏面側において良好な通気性と防水性を確保するとともに、見切材に関する防火上の制約を満たしながら、建物外観の意匠性を高める。【解決手段】外壁のサイディング材31裏面側の空間41を落下する水を水受け部２で受けて、そのサイディング材31下端とそれよりも下側の他のサイディング材32上端との隙間50より外部へ排出するよう、前記水受け部２上部側の空間41,43を前記下側の他のサイディング材32裏面側の空間42へ連通させる開口部８，８…を設け、この開口部８，８…における上方部と建物内外方向の外方部を、その上方より落下する水を前記水受け部２側へ導くようなカバー10,10…で覆い、そのカバー10,10…で覆われた部分の左右両端の少なくとも一方を出入り口16,16…として前記開口部８，８…へ流れるか又はその逆方向となる空気流通経路15,15…を形成する。【選択図】  図３
2006144236.tif 000002
【特許請求の範囲】
【請求項１】
外壁のサイディング材裏面側の空間を落下する水を水受け部で受けて、そのサイディング材下端とそれよりも下側の他のサイディング材上端との隙間より外部へ排出するよう、その水受け部を前記隙間より外方へ突出させて設けられる見切材であって、この見切材は、前記水受け部上部側の空間を前記下側の他のサイディング材裏面側の空間へ連通させる開口部を備え、この開口部における上方部と建物内外方向の外方部は、その上方より落下する水を前記水受け部側へ導くようなカバーで覆われて、そのカバーで覆われた部分の左右両端の少なくとも一方を出入り口として前記開口部へ流れるか又はその逆方向となる空気流通経路を形成していることを特徴とする外壁の見切材。
【請求項２】
前記の空気流通経路は、水平方向に適当な間隔を置いて複数設けられている請求項１記載の外壁の見切材。
【請求項３】
前記見切材は、水受け部の建物内外方向の内端より上方に突出して固定部が設けられ、この固定部において建物本体側へ固定されている請求項１又は２記載の外壁の見切材。
【請求項４】
前記カバーは、前面部とその前面部の上端に連接する上面部とからなる概略倒立Ｌ字形であって、前記固定部と水受け部とに跨るようにして設けられている請求項３記載の外壁の見切材。
【請求項５】
前記開口部が、前記上面部の下方において水受け部に形成されている請求項４記載の外壁の見切材。
【請求項６】
前記水受け部より立ち上がって前記出入り口を下端から所定高さまで塞ぐ水返し部を設けてある請求項５記載の外壁の見切材。
【請求項７】
前記上面部の左右方向の端部が、前記出入り口を庇状に塞ぐようにして張り出して設けられている請求項４乃至６のいずれかに記載の外壁の見切材。
【請求項８】
前記水受け部の外側の先端より下方へ突出して見付け部を備えている請求項１乃至７のいずれかに記載の外壁の見切材。
【請求項９】
前記サイディング材と同質の材料で構成されるか又はそれと同等の防火性能を備えた防火材を、少なくともその一部が前記の隙間に対応した位置となるようにして、前記水受け部の下面に取り付けてなる請求項１乃至８のいずれかに記載の外壁の見切材。
【請求項１０】
前記防火材は、開口部と開口部との間に設けられている請求項９記載の外壁の見切材。
【請求項１１】
請求項１乃至１０のいずれかに記載の外壁の見切材を、前記水受け部と、その水受け部上方の外壁のサイディング材下端との間の空間が、見切材の前記空気流通経路を介して、前記サイディング材よりも下側の他のサイディング材裏面側の空間へ連通するように配置してなることを特徴とする外壁の見切構造。
【発明の詳細な説明】
【技術分野】
【０００１】
この発明は、主として木造住宅において、上下のサイディング材間の隙間部分に設置される外壁の見切材、及びこれを用いた外壁の見切構造に関する。
【背景技術】
【０００２】
木造住宅の外壁において、上下方向に隣接するサイディング材同士が同一種類のものである場合、一般的に、それらサイディング材は、その端部のサネ同士を係合させて繋ぎ合わせられる。
【０００３】
これに対して、上下のサイディング材の種類が異なる場合などは、図７に示すように、それらサイディング材(31)(32)同士を繋ぎ合わせずに、サイディング材(31)(32)間の隙間部分に見切材(61)を設けることがあり、その場合は、見切材(61)の外側先端の見付け部(64)によって、下側サイディング材(32)の上端が覆い隠される。
【０００４】
この場合、上側のサイディング材(31)裏面側の壁体内空間(41)を落下する水や、上側サイディング材(31)下端と見切材(61)との間の隙間(71)から壁体内空間(41)に入り込んだ水は、見切材(61)の水受け部(62)上面を流れて外部へ排出されるようになっている。
【０００５】
また、壁体内空間(41)(42)は、見切材(61)の水受け部(62)によって上下に隔てられ、上側の壁体内空間(41)については、水受け部(62)の上側の隙間(71)を出入り口とした壁体内通気が確保されるようになっている。ここで、上側サイディング材(31)下端と水切り部(62)上端との高低差Ｍ3は、上側の壁体内空間(41)における通気が良好に確保されるような所定幅以上である必要があり、例えば１０ｍｍに設定される。
【０００６】
他方、下側の壁体内空間(42)については、水切り部(62)の下側の隙間(72)を出入り口とした壁体内通気が確保されるようになっている。
【０００７】
さらに、壁面に直角な水平方向から見て、見切材(61)の見付け部(64)と下側のサイディング材(32)の上端部とが重なる部分の高さ寸法Ｍ1が、防火上の制約を満たすような所定幅(例えば２０ｍｍ)以上となっている。
【０００８】
しかし、かかる従来の見切構造では、見切材(61)の水受け部(62)の下側に通気用の隙間(72)を確保するために、下側のサイディング材(32)上端を水受け部(62)から下方に離して設ける必要があることに加えて、上記の防火上の制約を満たす必要があるため、見切材(61)の見付け部(64)の高さ寸法(見付け幅Ｍ2)を長くしなければならなかった。すなわち、見切材(61)の見付け幅Ｍ2が大きくなることによって、建物の外観をシンプルにすることができず、意匠性が損なわれてしまう欠点があった。
【０００９】
ここで、上記の防火上の制約を満たしつつ、見切材(61)の見付け幅Ｍ2を小さくするためには、下側のサイディング材(32)上端を見切材(61)の水受け部(62)に近接して設ければ良いが、そうすると、下側サイディング材(32)裏面側の壁体内通気を確保するための通気用の隙間(72)を設けることができなくなってしまう。
【００１０】
そこで、見切材(61)の水受け部(62)の下側に通気用の隙間(72)を設けずに、下側サイディング材(32)裏面側の壁体内通気を確保するためには、見切材(61)の水受け部(62)に開口部を設けて、下側の壁体内空間(42)を、見切材(61)の水受け部(62)上部側の空間に連通させることによって、下側サイディング材(32)裏面側の壁体内通気を確保することが考えられる。
【００１１】
なお、下記の特許文献１の図５には、上下のサイディング材間に取り付けられた幕板に、下側の壁体内空間を幕板の上部側の空間に連通させるための開口部が設けられた構造が開示されている。
【００１２】
【特許文献１】特開平１１−２２９５１３号公報
【発明の開示】
【発明が解決しようとする課題】
【００１３】
しかし、図７に示す見切材(61)の水受け部(62)に上述のような開口部を設けると、下側壁体内空間(42)の通気を確保できる利点があるものの、上側壁体内空間(41)を落下してきた水や、見切材(61)の水受け部(62)の上側の隙間(71)から入り込んできた水が、前記の開口部を通って、下側壁体内空間(42)にまで流れ落ちてしまう恐れがあり、良好な防水性を確保することができない問題がある。なお、この点に関して、上記の特許文献１の構造についても同様の欠点を有している。
【００１４】
そこで、この発明は、上記のような不具合を解消して、外壁のサイディング材裏面側において良好な通気性と防水性を確保するとともに、見切材に関する防火上の制約を満たしながら、建物外観の意匠性を高めることを目的とする。
【課題を解決するための手段】
【００１５】
上記の課題を解決するため、この発明における外壁の見切材は、外壁のサイディング材裏面側の空間を落下する水を水受け部で受けて、そのサイディング材下端とそれよりも下側の他のサイディング材上端との隙間より外部へ排出するよう、その水受け部を前記隙間より外方へ突出させて設けられる見切材であって、この見切材は、前記水受け部上部側の空間を前記下側の他のサイディング材裏面側の空間へ連通させる開口部を備え、この開口部における上方部と建物内外方向の外方部は、その上方より落下する水を前記水受け部側へ導くようなカバーで覆われて、そのカバーで覆われた部分の左右両端の少なくとも一方を出入り口として前記開口部へ流れるか又はその逆方向となる空気流通経路を形成していることを特徴とする。
【００１６】
また、前記の空気流通経路は、水平方向に適当な間隔を置いて複数設けられている。
【００１７】
さらに、前記見切材は、水受け部の建物内外方向の内端より上方に突出して固定部が設けられ、この固定部において建物本体側へ固定されている。
【００１８】
さらにまた、前記カバーは、前面部とその前面部の上端に連接する上面部とからなる概略倒立Ｌ字形であって、前記固定部と水受け部とに跨るようにして設けられている。
【００１９】
また、前記開口部が、前記上面部の下方において水受け部に形成されている。
【００２０】
さらに、前記水受け部より立ち上がって前記出入り口を下端から所定高さまで塞ぐ水返し部を設けてある。
【００２１】
さらにまた、前記上面部の左右方向の端部が、前記出入り口を庇状に塞ぐようにして張り出して設けられている。
【００２２】
また、前記水受け部の外側の先端より下方へ突出して見付け部を備えている。
【００２３】
さらに、前記サイディング材と同質の材料で構成されるか又はそれと同等の防火性能を備えた防火材を、少なくともその一部が前記の隙間に対応した位置となるようにして、前記水受け部の下面に取り付けてなる。
【００２４】
さらにまた、前記防火材は、開口部と開口部との間に設けられている。
【００２５】
また、この発明における外壁の見切構造は、上記の見切材を、前記水受け部と、その水受け部上方の外壁のサイディング材下端との間の空間が、見切材の前記空気流通経路を介して、前記サイディング材よりも下側の他のサイディング材裏面側の空間へ連通するように配置してなることを特徴とする。
【発明の効果】
【００２６】
この発明における外壁の見切材は、水受け部上部側の空間を下側のサイディング材裏面側の空間へ連通させる開口部を備えているため、下側サイディング材裏面側における壁体内通気の出入り口として、見切材の水受け部と上側サイディング材下端との間の空間を利用することができる。したがって、下側サイディング材上端と見切材の水受け部との間に通気用の隙間を設けなくても、下側サイディング材裏面側の空間における壁体内通気を良好に確保することができる。
【００２７】
そして、そのように見切材の水受け部の下側に隙間を設ける必要がないため、下側サイディング材上端を見切材の水受け部に近接させて設けることができる。したがって、そうすることにより、外壁に直角な水平方向から見たときの高さ寸法に関して、見切材の見付け部と下側サイディング材上端部との重なり幅を確保しやすくなるため、その重なり幅を所定幅以上にしなければならないといった防火上の制約を、見切材の見付け幅を短くしても容易に満たすことができる。
【００２８】
しかも、この発明の見切材は、上記開口部における上方部と建物内外方向の外方部が、開口部の上方より落下する水を水受け部側へ導くカバーで覆われて、そのカバーで覆われた部分の左右両端の少なくとも一方を出入り口として開口部へ流れるか又はその逆方向となる空気流通経路を形成している。したがって、空気流通経路によって下側サイディング材裏面側の通気性を確保しつつ、開口部の上方より落下する水が、開口部を通って下側サイディング材裏面側の空間にまで流れ落ちるのを防ぐことができる。
【００２９】
さらに、カバー上面部の左右方向の端部を、空気流通経路の出入り口を庇状に塞ぐようにして張り出して設けることで、上面部を伝って側方へ流れる水や、開口部に向かって斜め上方から落下する水が、上記出入り口に入り込むのを防ぐことができ、下側サイディング材裏面側の防水性をさらに高めることができる。
【００３０】
また、上側サイディング材下端と見切材の水受け部との間の隙間から開口部に向かって流れる水についても、カバーの前面部で止水することができるとともに、水受け部より立ち上がって空気流通経路の出入り口を下端から所定高さまで塞ぐ水返し部を設けた場合は、その水返し部により、側方から開口部に入り込もうとする水を止水することができる。
【００３１】
以上のように、この発明では、サイディング材の裏面側における良好な通気性及び防水性を確保するとともに、見切材の設置に関する防火上の制約を満たしながら、見切材の見付け幅を小さくすることができるため、それによって建物の外観をシンプルにして、その建物外観の意匠性を高めることができる。
【００３２】
また、そのように見切材の見付け幅を小さくすることができるため、見切材の意匠を、例えば垂れ壁用の見切材等の見付け幅が小さい他の部材の意匠に合わせやすくなり、建物全体を統一感のある外観にすることが可能になる。
【００３３】
加えて、サイディング材と同質の材料で構成されるか又はそれと同等の防火性能を備えた防火材を、少なくともその一部が上下のサイディング材間の隙間に対応した位置となるようにして、水受け部の下面に取り付けることで、上下のサイディング材間の隙間に関する防火上の制約(その隙間の高さ寸法を所定幅以下にしなければならないといった制約)を容易に満たすことができる。したがって、上側サイディング材下端と見切材の水受け部との間の空間を広く確保しやすくなるため、より一層良好な壁体内通気を得ることが可能になる。
【００３４】
また、防火材は、開口部と開口部との間に設けられているため、開口部が防火材で塞がれることがなく、防火材によって壁体内通気が妨げられるのを防ぐことができる。
【発明を実施するための最良の形態】
【００３５】
以下、この発明の実施形態を図面に基づいて詳細に説明する。図１乃至図６に示すように、この発明の一実施形態に係る外壁の見切材(１)は、水平方向に沿って取り付けられる例えば金属製の長尺材であり、折曲加工又は押出成形等によって製造される。ただし、見切材(１)としては、必ずしも金属製のものに限られず、耐火性を有するその他の材料からなるものを用いるようにしても良い。
【００３６】
見切材(１)は、外壁のサイディング材(31)裏面側の壁体内空間(41)を落下する水を受ける水受け部(２)と、その水受け部(２)の建物内外方向の内端より上方に突出した固定部(３)と、同じくその水受け部(２)の外側の先端より下方へ突出した見付け部(４)とを備えている。
【００３７】
水受け部(２)は、図３に示す取付け状態において、建物内外方向の外側に向かうに連れて低くなるように傾斜して設けられるものであり、水受け部(２)上面で受ける水を外部へスムーズに排出できるようになっている。
【００３８】
また、水受け部(２)は、その建物内外方向の内端において上下方向に貫通する開口部(８)(８)…を備えている。開口部(８)(８)…は、図１に示すように例えば矩形状であり、見切材(１)の長さ方向に沿って長い細長状に形成されている。開口部(８)(８)…は、見切材(１)の長さ方向に沿って適当な間隔を置いて複数設けられている。
【００３９】
固定部(３)には、図１に示すように、その上下方向の中央やや上側においてビス挿通孔(９)(９)…が形成されている。ビス挿通孔(９)(９)…は、見切材(１)の長さ方向において適当な間隔を置いて複数設けられ、それぞれのビス挿通孔(９)は、各開口部(８)(８)間の例えば中間部に設けられている。そして、固定部(３)は、建物内外方向の外側からビス挿通孔(９)(９)…へ差し込むビスによって建物本体側に固定される。
【００４０】
見付け部(４)は、取付け状態において、図３に示すように、屋外に露出するようにして外壁面よりも外側に配置されるものであり、見付け部(４)の高さ方向の幅が、見切材(１)の見付け幅Ｌ1となっている。その見切材(１)の見付け幅Ｌ1は、例えば２６ｍｍとされている。
【００４１】
なお、見付け部(４)には、その下端より建物内外方向の内側に向かって斜め上方に延びる折返し部(５)が連接している。このように折返し部(５)を設けることにより、水受け部(２)から見付け部(４)へ伝い流れる水が、見付け部(４)下端より下方へスムーズに落下するようになり、水切り性能が高められる。また、折返し部(５)によって、見付け部(４)と下側サイディング材(32)上端部との間の隙間を、下側からある程度隠すことができるため、斜め下方から見たときの外観を良好にすることができる。
【００４２】
また、見切材(１)には、図１に示すように、それぞれの開口部(８)(８)…に対応して、開口部(８)(８)…の上方より落下する水を水受け部(２)側へ導くようなカバー(10)(10)…が設けられている。これらのカバー(10)(10)…は、開口部(８)(８)…における上方部と建物内外方向の外方部を覆うようにして、水受け部(２)及び固定部(３)に対して溶接又は接着等により予め一体に取り付けられるものである。
【００４３】
カバー(10)は、そのカバー(10)で覆われた部分の左右両端が開放した状態で設けられている。これによって、見切材(１)には、図４及び図５に示すように、カバー(10)の左右両端を出入り口(16)(16)として開口部(８)へ流れるか又はその逆方向となる空気流通経路(15)(15)が形成されている。なお、空気流通経路(15)の出入り口(16)は、カバー(10)で覆われた部分の必ずしも左右両端に設ける必要はなく、左右方向のいずれか一端に設けるようにしても良い。
【００４４】
カバー(10)は、前面部(11)とその前面部(11)の上端に連接する上面部(12)とからなる概略倒立Ｌ字形であって、固定部(３)と水受け部(２)とに跨るようにして設けられている。
【００４５】
前面部(11)は、開口部(８)の前面側の周縁部より立ち上がるようにして設けられ、上面部(12)は、前面部(11)上端と固定部(３)上端とに跨って設けられている。また、上面部(12)の左右方向の端部は、空気流通経路(15)(15)の出入り口(16)(16)を庇状に塞ぐようにして張り出した庇部(12ａ)(12ａ)となっている。
【００４６】
さらに、見切材(１)は、水受け部(２)より立ち上がって空気流通経路(15)(15)の出入り口(16)(16)を下端から所定高さまで塞ぐ水返し部(18)(18)を備えている。これら水返し部(18)(18)は、その建物内外方向の外側先端においてカバー(10)の前面部(11)に連接されている。また、水返し部(18)(18)の下端は、水受け部(２)における開口部(８)の左右両側の周縁に取り付けられ、水返し部(18)(18)の建物内外方向の内端は、固定部(３)に取り付けられている。
【００４７】
すなわち、それぞれの開口部(８)は、水受け部(２)の上部側において、カバー(10)前面部(11)、水返し部(18)(18)及び固定部(３)によって、全周に亘って取り囲まれた状態となっている。
【００４８】
水受け部(２)の下面には、図２に示すように、外壁のサイディング材(31)(32)と同質の材料からなる防火材(20)(20)…が取り付けられている。なお、防火材(20)(20)…としては、必ずしもサイディング材(31)(32)と同質の材料からなるものでなくても良く、サイディング材(31)(32)と同等の防火性能を備えたものを用いれば良い。
【００４９】
防火材(20)は、例えば断面矩形の棒状に形成されており、水受け部(２)下面における建物内外方向の内端において、開口部(８)と開口部(８)との間に設けられている。すなわち、防火材(20)(20)…は、見切材(１)の長さ方向に沿って、開口部(８)(８)…を避けるようにして間隔を置いて複数設けられている。したがって、開口部(８)(８)…が、防火材(20)(20)…によって下側から塞がれることがなく、開口部(８)(８)…を通る通気が妨げられないようになっている。
【００５０】
防火材(20)(20)…は、水受け部(２)下面に取り付けられた保持材(21)(21)…によって保持されるようになっている。保持材(21)は、水受け部(２)下面に沿って取り付けられる取付け部(22)と、その取付け部(22)の建物内外方向の内端より下方に突出した前側保持部(23)と、その前側保持部(23)の下端より建物内外方向の内方に突出した下側保持部(24)とからなる。
【００５１】
防火材(20)(20)…を取り付ける際は、保持材(21)の取付け部(22)を水受け部(２)下面に接着又は溶接等により取り付けた状態において、水受け部(２)の建物内外方向内端部と前側保持部(23)と下側保持部(24)とによって囲まれた部分に、建物内外方向の内側から防火材(20)(20)…を差し込んで取り付け、これによって防火材(20)(20)…が保持材(21)(21)…により保持される。
【００５２】
以下、上記の見切材(１)を用いた外壁の見切構造について説明する。図３に示すように、外壁のサイディング材(31)(32)は、建物本体側の構造用合板(33)に対して、図示しない木下地又は固定金具等を介して固定されている。外壁のサイディング材(31)(32)としては、例えばセラミック製のものが用いられるが、特にこれに限られるものではない。
【００５３】
上下方向に隣接するサイディング材(31)(32)間には隙間(50)が設けられ、その隙間(50)の間隔Ｌ2は例えば１６ｍｍとされている。そして、サイディング材(31)(32)の裏面側には、サイディング材(31)(32)と構造用合板(33)との間に壁体内空間(41)(42)が形成されている。
【００５４】
見切材(１)は、その固定部(３)において構造用合板(33)へ固定されている。この取付け状態において、見切材(１)は、上側サイディング材(31)裏面側の壁体内空間(41)を落下する水を水受け部(２)で受けて、上側サイディング材(31)下端と下側サイディング材(32)上端との隙間(50)より外部へ排出するよう、その水受け部(２)を前記の隙間(50)より外方へ突出させて設けられている。
【００５５】
この見切材(１)の取付け状態において、サイディング材(31)(32)裏面側の壁体内空間(41)(42)は、水受け部(２)によって上下に仕切られて、上側サイディング材(31)裏面側の上側壁体内空間(41)と、下側サイディング材(32)裏面側の下側壁体内空間(42)とに隔てられた状態となっている。
【００５６】
また、上側サイディング材(31)下端と下側サイディング材(32)上端との隙間(50)において、見切材(１)の水受け部(２)と、その水受け部(２)下方の下側サイディング材(32)上端との間にはほとんど隙間が設けられていないが、同じくその水受け部(２)と、その水受け部(２)上方の上側サイディング材(31)下端との間には、屋外に連通する屋外連通空間(43)が設けられている。
【００５７】
さらに、見切材(１)の見付け部(４)は、サイディング材(31)(32)表面よりも外側において、壁面に平行となるように配置されている。そして、壁面に直角な水平方向から見て、見付け部(４)と下側サイディング材(32)上端部とが重なる部分の高さ寸法Ｌ3は例えば２０ｍｍ以上となっており、その重なり幅に関する防火上の制約が満たされた状態となっている。
【００５８】
加えて、見切材(１)に予め取り付けられた防火材(20)(20)…は、その防火材(20)(20)…の上端が、下側サイディング材(32)上端よりも高く、上側サイディング材(31)下端よりも低い高さとなるように配置される。具体的には、防火材(20)(20)…上端と上側サイディング材(31)下端との高低差Ｌ4が例えば１０ｍｍとされ、これにより、防火上の制約を満たし、且つ、屋外連通空間(43)を出入り口とする通気を妨げないような間隔となっている。
【００５９】
水受け部(２)に形成された開口部(８)(８)…は、サイディング材(31)(32)の裏面よりも建物内外方向の内側に配置されており、これら開口部(８)(８)…に連なる空気流通経路(15)(15)…を介して、水受け部(２)上部側における上側壁体内空間(41)と屋外連通空間(43)とが、下側壁体内空間(42)へ連通するようになっている。このとき、水受け部(２)の開口部(８)(８)…及びこれに連なる空気流通経路(15)(15)…は、壁面に平行な水平方向に適当な間隔を置いて複数設けられた状態となっている。
【００６０】
したがって、屋外連通空間(43)は、見切材(１)の複数の空気流通経路(15)(15)…を介して下側壁体内空間(42)に連通しているため、図４及び図５に示すような流れの通気が得られるようになっている。なお、図４及び図５においては、開口部(８)を表すために、カバー(10)の前面部(11)を一部切り欠いた状態で図示している。
【００６１】
すなわち、屋外より屋外連通空間(43)に入り込んだ通気の一部は、図４に示すように、カバー(10)の側方において水返し部(18)(18)の上方から空気流通経路(15)(15)の出入り口(16)(16)へ入って、空気流通経路(15)(15)を通って下側壁体内空間(42)へ流入するようになっている。同様にして、下側壁体内空間(42)を上昇する通気の一部は、図５に示すように、同じ経路を逆方向に流れて屋外に排出されるようになっている。
【００６２】
また、屋外より屋外連通空間(43)に入り込んだ通気の一部は、図４に示すように、従来と同様に上側壁体内空間(41)にも流れて、その壁体内空間(41)を上昇するようになっている。同様にして、上側壁体内空間(41)を下降する通気の一部も、図５に示すように、従来と同様に屋外連通空間(43)から屋外に排出されるようになっている。
【００６３】
さらに、上側壁体内空間(41)と下側壁体内空間(42)とが、空気流通経路(15)(15)を介して連通しているため、下側壁体内空間(42)を上昇する通気の一部は、図４に示すように、空気流通経路(15)(15)を通って上側壁体内空間(41)に流入して、その壁体内空間(41)を上昇するようになっている。同様にして、上側壁体内空間(41)を下降する通気の一部は、図５に示すように、空気流通経路(15)(15)を逆方向に流れて下側壁体内空間(42)に流入し、その壁体内空間(42)を下降するようになっている。
【００６４】
このように、上側壁体内空間(41)と下側壁体内空間(42)とを通して壁体内通気を行えるようになっているため、それら上下の壁体内空間(41)(42)に亘って良好な通気が得られるようになっている。
【００６５】
見切材(１)のカバー(10)(10)…は、図３に示すように、上側壁体内空間(41)において、建物内外方向にほとんど隙間なく配置されている。そして、カバー(10)上面部(12)の下方に形成された開口部(８)に対して、その上方より落下した水は、図６に示すように、カバー(10)の上面部(12)の表面に落下して、その上面部(12)表面を伝って側方へ流れるようになっている。そのようにして上面部(12)の庇部(12ａ)(12ａ)まで流れた水は、その庇部(12ａ)(12ａ)より下方の水受け部(２)へ落下し、水受け部(２)上面を外側に向かって流れて、屋外連通空間(43)から外部へ排出されるようになっている。このように、開口部(８)の上方より落下する水は、カバー(10)で覆われた開口部(８)に入り込まないようになっている。
【００６６】
また、屋外連通空間(43)から壁体内に入り込む水については、カバー(10)前面部(11)と水返し部(18)(18)で止水されるため、開口部(８)(８)…に入り込まないようになっている。
【００６７】
このように、開口部(８)の上方より落下した水や、屋外連通空間(43)から入り込んだ水が、開口部(８)(８)…を通って下方に落下しないようになっているため、下側壁体内空間(42)において高い防水性が確保されるようになっている。
【００６８】
なお、この発明は、上記実施形態に限定されるものではなく、この発明の範囲内で上記実施形態に多くの修正及び変更を加え得ることは勿論である。
【図面の簡単な説明】
【００６９】
【図１】この発明の一実施形態に係る外壁の見切材を示す斜視図である。
【図２】同じくその斜視図である。
【図３】この発明の一実施形態に係る外壁の見切構造を示す断面図である。
【図４】開口部周りの通気の流れを示す斜視図である。
【図５】同じくその斜視図である。
【図６】開口部周りの水の流れを示す斜視図である。
【図７】従来の外壁の見切構造を示す断面図である。
【符号の説明】
【００７０】
(１)  外壁の見切材
(２)  水受け部
(３)  固定部
(４)  見付け部
(８)  開口部
(10)  カバー
(11)  前面部
(12)  上面部
(15)  空気流通経路
(16)  空気流通経路の出入り口
(18)  水返し部
(20)  防火材
(31)  上側サイディング材
(32)  下側サイディング材
(41)  上側サイディング材裏面側の空間(上側壁体内空間)
(42)  下側サイディング材裏面側の空間(下側壁体内空間)
(43)  水受け部と上側サイディング材下端との間の空間(屋外連通空間)
(50)  上側サイディング材下端と下側サイディング材上端との隙間
【図１】
2006144236.tif 000003
【図２】
2006144236.tif 000004
【図３】
2006144236.tif 000005
【図４】
2006144236.tif 000006
【図５】
2006144236.tif 000007
【図６】
2006144236.tif 000008
【図７】
2006144236.tif 000009